(57)【要約】【課題】それぞれ光デバイスの効率的な生産を可能にする、透光性部材と、透光性部材を使用した光デバイスと、光デバイスの組立方法とを提供することである。【解決手段】光デバイスの組立方法に、光デバイス４７を構成する基板３８に各々対応するように格子状に形成された領域３２を有する全体基板３３を準備する工程と、領域３２にチップ３を各々装着する工程と、複数個の封止用部材５０を有する封止用全体部材４５を全体基板３３において一括して設けることによって中間体４６を形成する工程と、中間体４６を各領域３２単位に分離する工程とを備える。これにより、基板３８と、基板３８に装着され光素子からなるチップ３と、チップ３を封止する目的で基板３８に設けられ透光性を有する封止用部材５０とを備えた光デバイス４７が組み立てられる。【選択図】図４
2006106479.tif 000002
【特許請求の範囲】
【請求項１】
基板と該基板に装着され光素子からなるチップとを有する光デバイスにおいて、前記チップを保護する目的で使用される透光性部材であって、
矩形の平面形状を有するとともに、
一括して成形された成形体が該成形体を格子状に構成する個片に各々分離されることによって、形成されたことを特徴とする透光性部材。
【請求項２】
基板と、該基板に装着され光素子からなるチップと、該チップを少なくとも取り囲むようにして前記基板に設けられた保護用部材と、該保護用部材の天面に固定された透光性部材とを備えた光デバイスであって、
前記透光性部材の平面形状は矩形であるとともに、
前記透光性部材は、一括して成形された成形体が該成形体を格子状に構成する個片に各々分離されることによって、形成されたことを特徴とする光デバイス。
【請求項３】
請求項２に記載の光デバイスにおいて、
前記基板に各々対応するように格子状に形成された領域を有する全体基板と、前記領域に各々装着された前記チップと、前記全体基板上において一括して設けられるとともに前記領域に各々対応する前記保護用部材を有する保護用全体部材と、該保護用全体部材の天面に固定された前記成形体とからなる中間体が、前記各領域単位に分離されることによって形成されたことを特徴とする光デバイス。
【請求項４】
基板と、該基板に装着され光素子からなるチップと、該チップを封止する目的で前記基板に設けられた透光性を有する封止用部材とを備えた光デバイスであって、
前記基板に各々対応するように格子状に形成された領域を有する全体基板と、前記領域に各々装着された前記チップと、前記領域に各々対応する前記封止用部材を有し前記全体基板上において一括して設けられる封止用全体部材とからなる中間体が、前記各領域単位に分離されることによって形成されたことを特徴とする光デバイス。
【請求項５】
基板に光素子からなるチップを装着する工程と、前記チップを少なくとも取り囲むようにして基板に保護用部材を固定する工程と、前記保護用部材の天面に透光性部材を固定する工程とを備えた光デバイスの組立方法であって、
格子状に配置された前記透光性部材を有する成形体を一括して成形する工程と、
前記成形体を個片に各々分離することによって前記透光性部材を形成する工程とを備えたことを特徴とする光デバイスの組立方法。
【請求項６】
請求項５に記載の光デバイスの組立方法において、
前記透光性部材を形成する工程においては、両面接着シートの一方の面に設けられた仮接着層を使用して前記成形体を仮固定し、前記成形体を切断し、切断された前記成形体を前記両面接着シートの一方の面から剥離するとともに、
前記透光性部材を固定する工程においては、前記両面接着シートの他方の面に設けられた本接着層を使用して前記透光性部材を接着することを特徴とする光デバイスの組立方法。
【請求項７】
基板と、該基板に装着され光素子からなるチップと、該チップを少なくとも取り囲むようにして前記基板に設けられた保護用部材と、該保護用部材の天面に固定された透光性部材とを備えた光デバイスの組立方法であって、
前記基板に各々対応するように格子状に形成された領域を有する全体基板を準備する工程と、
前記領域に前記チップを各々装着する工程と、
複数個の前記保護用部材を有する保護用全体部材を前記全体基板に一括して設ける工程と、
格子状に配置された透光性部材を有し一括して成形された成形体を前記保護用全体部材の天面に固定することによって中間体を形成する工程と、
前記中間体を前記各領域単位に分離する工程とを備えたことを特徴とする光デバイスの組立方法。
【請求項８】
基板と、該基板に装着され光素子からなるチップと、該チップを封止する目的で前記基板に設けられた透光性を有する封止用部材とを備えた光デバイスの組立方法であって、
前記基板に各々対応するように格子状に形成された領域を有する全体基板を準備する工程と、
前記領域に前記チップを各々装着する工程と、
複数個の前記封止用部材を有する封止用全体部材を前記全体基板において一括して設けることによって中間体を形成する工程と、
前記中間体を前記各領域単位に分離する工程とを備えたことを特徴とする光デバイスの組立方法。
【発明の詳細な説明】
【技術分野】
【０００１】
本発明は、光素子からなるチップを有する光デバイスに使用される透光性部材、光デバイス、及び光デバイスの組立方法に関するものである。
【背景技術】
【０００２】
従来の光デバイス及びその組立方法について、図５を参照して第１の組立方法を説明する。図５（１）−（４）は従来の光デバイスの組立方法を示す断面図であり、図５（５）は光デバイスのレンズ付半製品を示す平面図である。ここでは、発光ダイオードのパッケージ（ＬＥＤパッケージ）の組立を例にとって説明する。なお、以下の説明において使用するいずれの図についても、わかりやすくするために、適宜省略し又は誇張して模式的に描かれている。
【０００３】
従来の組立方法においては、図５（１）に示すように、まず、リードフレーム１の上面２にＬＥＤチップ３をダイボンディングし、リードフレーム１とＬＥＤチップ３との電極同士（いずれも図示なし）を、ワイヤ４を使用してワイヤボンディングする。次に、図５（２）に示すように、例えば、トランスファ成形によって、上面２におけるＬＥＤチップ３及びワイヤ４の周囲の空間を除く所定の範囲と、下面５における所定の範囲とに、硬化樹脂からなる保護用部材６を形成する。この保護用部材６は、ＬＥＤチップ３とワイヤ４とを保護する機能を有し、場合によってはＬＥＤチップ３から照射された光を図の上方に反射する機能を有する。また、保護用部材６を形成する際に、上面２の側において保護用部材６に凹部７を形成する。ここまでの工程によって、１個の完成品としてのＬＥＤパッケージに対応する半製品８が製造される。この半製品８において、リードフレーム１における保護用部材６から突き出した部分が、ＬＥＤパッケージのリードとして機能する。また、図５（２）に示す状態から、必要に応じて２次成形を行って、ＬＥＤチップ３及びワイヤ４の周囲の空間を、透光性を有する硬化樹脂によって充填する場合もある。
【０００４】
次に、図５（３）に示すように、半製品８の凹部７に接着剤（図示なし）を塗布するとともに、透光性を有する材料からなる透光性部材、すなわちレンズ部材９を用意する。その後に、このレンズ部材９を、吸着等によって保持し搬送して、半製品８の凹部７に対して位置合わせする。レンズ部材９は、射出成形によって個別に製造され、球の一部からなる形状を有し凸レンズとして機能する透光部１０と、その底部から広がる平板状のフランジ部１１とから構成され、円形の平面形状を有している。
【０００５】
次に、図５（４）に示すように、レンズ部材９を下降させて凹部７の上に載置し、接着剤を硬化させて図５（３）の半製品８とレンズ部材９とを接着する。これによって、図５（４）と図５（５）とに示されているレンズ付半製品１２が完成する。以上の工程の後にリードの曲げ加工を行って、ＬＥＤパッケージを完成させる。
【０００６】
上述の組立方法の他にも、ＬＥＤパッケージの構造に応じて次のような組立方法が知られている。第２の組立方法として、リードフレーム１に代えて積層セラミック基板を使用し、保護用部材６に代えて積層セラミック基板の上面に金属製キャップを取り付け、その金属製キャップの天面に設けられた孔部にレンズ（透光性部材）を取り付ける組立方法が提案されている（例えば、特許文献１参照）。この方法で使用するレンズは、円形の平面形状と中凸状の断面形状とを有する凸レンズである。第３の組立方法として、リードフレーム上の発光ダイオードペレット（ＬＥＤチップ）を樹脂封止して四角形の平面形状を有する光電変換素子基体を形成し、その基体の上に、平面視して四角形の平板状部分と凸状のレンズ部分とが一体化した透明樹脂板（透光性部材）を装着する組立方法が提案されている（例えば、特許文献２参照）。このレンズ付の透明樹脂板は、インジェクションモールド法、すなわち射出成型法によって成形される。
【０００７】
しかしながら、上述した従来の技術によれば、次のような問題がある。まず、第１及び第２の組立方法においては、レンズ（第１の組立方法におけるレンズ部材を含む）が、円形の平面形状と中凸状の断面形状とを有する。これにより、仮に小面積のフランジ部を有していたとしても、掴むこと、吸着すること等によってレンズのピックアップ、搬送等のハンドリングを行う際にミスが起きやすい。また、ハンドリング用の治具がレンズにおける光が透過する部分（図５の透光部１０）に接触しやすいので、この部分に傷をつけて品質が低下するおそれがある。次に、第１−第３の組立方法のいずれにおいても、個片の状態でレンズを保管し、ピックアップし、搬送する必要があるので、在庫等の管理と工程とが煩雑である。次に、第１−第３の組立方法のいずれにおいても、レンズと半製品とをそれぞれ１個単位で製造するとともに、１個の半製品に１個のレンズをそれぞれ取り付ける必要があるので、ＬＥＤを生産する際に生産効率の向上を図ることが困難である。
【特許文献１】特開２００３−１６３３８２号公報（第３頁、図１、図２，図４）
【特許文献２】特開平４−３４８０８８号公報（第２頁−第３頁、図１−図３）
【発明の開示】
【発明が解決しようとする課題】
【０００８】
本発明が解決しようとする課題は、光デバイスを組み立てる際に、生産効率の向上を図ることが困難であること、及び、品質が低下するおそれがあることである。
【課題を解決するための手段】
【０００９】
上述の課題を解決するために、本発明に係る透光性部材は、基板（１，３８）と該基板（１，３８）に装着され光素子からなるチップ（３）とを有する光デバイス（３７，４７）において、チップ（３）を保護する目的で使用される透光性部材（２５，５０）であって、矩形の平面形状を有するとともに、一括して成形された成形体（１９，４５）が該成形体（１９，４５）を格子状に構成する個片に各々分離されることによって形成されたことを特徴とする。
【００１０】
また、本発明に係る光デバイスは、基板（１，３８）と、該基板（３８）に装着され光素子からなるチップ（３）と、該チップ（３）を少なくとも取り囲むようにして基板（１，３８）に設けられた保護用部材（６，３９）と、該保護用部材（６，３９）の天面に固定された透光性部材（２５）とを備えた光デバイス（３７）であって、透光性部材（２５）の平面形状は矩形であるとともに、透光性部材（２５）は、一括して成形された成形体（１９）が該成形体（１９）を格子状に構成する個片に各々分離されることによって、形成されたことを特徴とする。
【００１１】
また、本発明に係る光デバイスは、上述の光デバイス（３７）において、基板（３８）に各々対応するように格子状に形成された領域（３２）を有する全体基板（３３）と、領域（３２）に各々装着されたチップ（３）と、全体基板（３３）上において一括して設けられるとともに領域（３２）に各々対応する保護用部材（３９）を有する保護用全体部材（３４）と、該保護用全体部材（３４）の天面に固定された成形体（１９）とからなる中間体（３６）が、各領域（３２）単位に分離されることによって形成されたことを特徴とする。
【００１２】
また、本発明に係る光デバイスは、基板（３８）と、該基板（３８）に装着され光素子からなるチップ（３）と、該チップ（３）を封止する目的で基板（３８）に設けられた透光性を有する封止用部材（２５，５０）とを備えた光デバイス（３７，４７）であって、基板（３８）に各々対応するように格子状に形成された領域（３２）を有する全体基板（３３）と、領域（３２）に各々装着されたチップ（３）と、領域（３２）に各々対応する封止用部材（２５，５０）を有し全体基板（３３）上において一括して設けられる封止用全体部材（１９，４５）とからなる中間体（３６，４６）が、各領域（３２）単位に分離されることによって形成されたことを特徴とする。
【００１３】
また、本発明に係る光デバイスの組立方法は、基板（１）に光素子からなるチップ（３）を装着する工程と、チップ（３）を少なくとも取り囲むようにして基板（１）に保護用部材（６）を固定する工程と、保護用部材（６）の天面に透光性部材（２５）を固定する工程とを備えた光デバイスの組立方法であって、格子状に配置された透光性部材（２５）を有する成形体（１９）を一括して成形する工程と、成形体（１９）を個片に各々分離することによって透光性部材（２５）を形成する工程とを備えたことを特徴とする。
【００１４】
また、本発明に係る光デバイスの組立方法は、上述の組立方法において、透光性部材（２５）を形成する工程においては、両面接着シート（２６）の一方の面に設けられた仮接着層（２８）を使用して成形体（１９）を仮固定し、成形体（１９）を切断し、切断された成形体（１９）を両面接着シート（２６）の一方の面から剥離するとともに、透光性部材（２５）を固定する工程においては、両面接着シート（２６）の他方の面に設けられた本接着層（２９）を使用して透光性部材（２５）を接着することを特徴とする。
【００１５】
また、本発明に係る光デバイスの組立方法は、基板（３８）と、該基板（３８）に装着され光素子からなるチップ（３）と、該チップ（３）を少なくとも取り囲むようにして基板（３８）に設けられた保護用部材（３９）と、該保護用部材（３９）の天面に固定された透光性部材（２５）とを備えた光デバイス（３７）の組立方法であって、基板（３８）に各々対応するように格子状に形成された領域（３２）を有する全体基板（３３）を準備する工程と、領域（３２）にチップ（３）を各々装着する工程と、複数個の保護用部材（３９）を有する保護用全体部材（３４）を全体基板（３３）に一括して設ける工程と、格子状に配置された透光性部材（２５）を有し一括して成形された成形体（１９）を保護用全体部材（３４）の天面に固定することによって中間体（３６）を形成する工程と、中間体（３６）を各領域（３２）単位に分離する工程とを備えたことを特徴とする。
【００１６】
また、本発明に係る光デバイスの組立方法は、基板（３８）と、該基板（３８）に装着され光素子からなるチップ（３）と、該チップ（３）を封止する目的で基板（３８）に設けられた透光性を有する封止用部材（５０）とを備えた光デバイス（４７）の組立方法であって、基板（３８）に各々対応するように格子状に形成された領域（３２）を有する全体基板（３３）を準備する工程と、領域（３２）にチップ（３）を各々装着する工程と、複数個の封止用部材（５０）を有する封止用全体部材（４５）を全体基板（３３）において一括して設けることによって中間体（４６）を形成する工程と、中間体（４６）を各領域（３２）単位に分離する工程とを備えたことを特徴とする。
【発明の効果】
【００１７】
本発明によれば、基板（３８）に保護用部材（３９）とその天面に固定された透光性部材（２５）とが設けられた光デバイス（３７）に関して、一括して成形された成形体（１９）が個片に分離されることにより形成された透光性部材（２５）が使用される。したがって、光デバイス（３７）を生産する際に生産効率が向上する。更に、各領域（３２）に各々対応する保護用部材（３９）を有し全体基板（３３）上に一括して設けられた保護用全体部材（３４）と、上述の成形体（１９）とを使用することにより、生産効率がいっそう向上する。また、透光性部材（２５）の平面形状が矩形なので、透光性部材（２５）をハンドリングする際に側面において安定してこれを保持することができる。したがって、ミスの発生と傷がつくことによる品質の低下とが抑制される。
【００１８】
また、基板（３８）に封止用部材（５０）が設けられた光デバイス（４７）に関して、各領域（３２）にそれぞれチップ（３）が装着された全体基板（３３）に封止用全体部材（４５）が一括して設けられて中間体（４６）が形成され、その中間体（４６）が各領域（３２）単位に分離されることによって光デバイス（４７）が形成される。これにより、１個の光デバイスに対応する基板、チップ、及び封止用部材を使用して光デバイスを個別に組み立てる場合に比較して、工数が大幅に削減される。したがって、光デバイス（４７）を生産する際に生産効率が大幅に向上する。
【００１９】
また、全体基板（３３）の各領域（３２）にそれぞれチップ（３）を装着し、全体基板（３３）に保護用全体部材（３４）を一括して設け、一括して成形された複数個の透光性部材（２５）を有する成形体（１９）を保護用全体部材（３４）の天面に固定して中間体（３６）を形成し、その中間体（３６）を各領域（３２）単位に分離することによって光デバイス（３７）を形成する。また、基板（３８）に封止用部材（５０）が設けられた光デバイス（４７）に関して、全体基板（３３）における格子状に形成された各領域（３２）にそれぞれチップ（３）を装着し、その全体基板（３３）に封止用全体部材（４５）を一括して設けることによって中間体（４６）を形成し、その中間体（４６）を各領域（３２）単位に分離することによって光デバイス（４７）を形成する。これらにより、１個の光デバイスに対応する基板、チップ、保護用部材、及び封止用部材を使用して光デバイスを個別に組み立てる場合に比較して、工数を削減できるとともに、基板、保護用部材、及び封止用部材の管理と搬送とを簡略化できる。したがって、光デバイス（４７）を生産する際の生産効率を向上させることができる。
【００２０】
また、光デバイスを生産する際に、成形体（１９）を切断して透光性部材（２５）を形成する際にその成形体（１９）を仮固定することと、保護用部材（６）の天面に透光性部材（２５）を固定することとを目的にして、両面接着シート（２６）を使用する。これにより、保護用部材（６）の天面に接着剤を塗布する等の工程を省略するので、光デバイスを生産する際の生産効率を向上させることができる。
【発明を実施するための最良の形態】
【００２１】
光デバイスの組立方法であって、光デバイス（４７）を構成する基板（３８）に各々対応するように格子状に形成された領域（３２）を有する全体基板（３３）を準備する工程と、領域（３２）にチップ（３）を各々装着する工程と、複数個の封止用部材（５０）を有する封止用全体部材（４５）を全体基板（３３）において一括して設けることによって中間体（４６）を形成する工程と、中間体（４６）を各領域（３２）単位に分離する工程とを備える。この組立方法によって、基板（３８）と、該基板（３８）に装着され光素子からなるチップ（３）と、該チップ（３）を封止する目的で基板（３８）に設けられ透光性を有する封止用部材（５０）とを備えた光デバイス（４７）が組み立てられる。
【実施例１】
【００２２】
本発明の実施例１について、図１と図５とを参照して説明する。図１（１）−（４）は本実施例に係る光デバイスの組立方法を工程順に示す部分断面図であり、図１（５）は完成したレンズ部材を示す斜視図である。以下に示すいずれの図においても、図５に示された構成要素に対して同一の構成要素については、同一の符号を付して説明を省略する。また、以下の説明では、光素子としてＬＥＤチップを、光デバイスとしてＬＥＤパッケージを、それぞれ例に挙げて説明する。ＬＥＤチップに限らず、受けた光を電気的信号に変換する受光素子、例えば、フォトダイオード（ＰＤ）、固体撮像素子等のチップに対して本発明を適用することができる。また、受けた電気的信号に応じて発光する発光素子、例えば、レーザダイオード（ＬＤ）等のチップに対して本発明を適用することができる。加えて、光通信に使用されるモジュールに対して本発明を適用することができる。すなわち、光素子に対して本発明を適用することができる。
【００２３】
本実施例は、基板とＬＥＤチップと保護用部材とを有する半製品（図５（３）の半製品８参照）に接着するレンズ部材、すなわち透光性部材を、複数のレンズ部材を含む成形体を一括して樹脂成形した後にその成形体を分離することによって形成することを特徴とする。本実施例に係る光デバイスの組立方法によれば、まず、図１（１）に示すように、相対向する下型１３と上型１４とを準備し、下型に設けられたキャビティ１５に、透光性を有する熱硬化性樹脂からなる所定量の粒状の樹脂材料１６を供給する。キャビティ１５には、レンズ部材の形状に応じた複数の凹部が格子状に形成されている。また、樹脂材料１６については、図示したような粒状以外に粉状、塊状、シート状でもよく、一定の透光性を有する熱可塑性樹脂を使用してもよい。また、常温で液状である樹脂材料をキャビティ１５に注入してもよい。
【００２４】
次に、図１（２）に示すように、図１（１）の状態から上型１４を下降させて、下型１３と上型１４とを型締めするとともに樹脂材料１６を押圧する。そして、下型１３と上型１４とに設けられたヒータ（図示なし）を使用して樹脂材料１６を加熱し溶融させて、キャビティ１５において流動性樹脂１７を形成する。その後に、流動性樹脂１７を硬化させて、図１（３）に示すように硬化樹脂１８からなる成形体１９を形成する。これにより、いわゆる圧縮成形を使用して、成形体１９を一括して成形したことになる。ここで、トランスファ成形を使用して、成形体１９を一括して成形することもできる。
【００２５】
次に、図１（３）に示すように、上型１４を上昇させて下型１３と上型１４とを型開きする。そして、成形体１９を取り出した後に、吸着等の手段を使用して成形体１９を保持し、次工程で使用される切断装置に搬送する。
【００２６】
次に、図１（４）に示すように、適度な粘着性、言い換えれば弱い接着力を有するダイシングシート２０を使用して、ステージ２１に成形体１９を仮固定する。そして、回転刃２２を使用して、成形体１９に設けられた仮想的なダイシングライン２３に沿って、Ｙ方向（図の手前−奥の方向）とＸ方向（図の左右方向）とに成形体１９を切断する。このことにより、成形体１９を個片化して、図１（５）に示された透光性部材、すなわち凸レンズとして機能する透光部１０と、矩形の平面形状を有する平板状のフランジ部２４とを有するレンズ部材２５が完成する。この矩形の平面形状を有するレンズ部材２５が、本発明に係る透光性部材に相当する。ここで、成形体１９を切断して全てのレンズ部材２５を形成した後に、全てのレンズ部材２５がダイシングシート２０に仮固定された状態で搬送、保管、出荷等を行う。
【００２７】
次に、図５（３）と同様にして、半製品８の凹部７に接着剤（図示なし）を塗布する。その後に、レンズ部材２５を、吸着等によって保持し、更にダイシングシート２０から引き離し搬送して、凹部７に対して位置合わせする。なお、本実施例では、図５に示された凹部７は、図１（５）のフランジ部２４に対応する矩形の平面形状を有している。
【００２８】
次に、図５（４）と同様にして、レンズ部材２５を下降させて凹部７の上に載置し、接着剤を硬化させる。これにより、レンズ付半製品（図５（４），（５）のレンズ付半製品１２参照）が完成する。以上の工程の後にリードの曲げ加工を行って、本実施例に係る光デバイス（ＬＥＤパッケージ）を完成させる。
【００２９】
以上説明したように、本実施例によれば、リードフレームに保護用部材とその天面に固定されたレンズ部材２５とが設けられた光デバイスに関して、一括して成形された成形体１９が個片にそれぞれ分離されることによって形成されたレンズ部材２５が使用される。したがって、射出成形等によって個別にレンズ部材を形成する場合に比較して、光デバイスを生産する際に生産効率が向上するとともに、在庫管理、保管、搬送等が簡単になる。また、レンズ部材２５は、平板状で広いフランジ部２４と矩形の平面形状とを有する。これにより、レンズ部材２５のハンドリングを行う際に、フランジ部２４を掴み、又はフランジ部２４において吸着することができる。また、フランジ部２４の面積が小さい場合であっても、その各辺において側面を挟むことによってレンズ部材２５を保持することができる。したがって、レンズ部材２５をハンドリングする際に、ミスの発生と透光部１０に傷がつくことによる品質の低下とが抑制される。
【００３０】
なお、本実施例では、回転刃２２を使用して成形体１９を切断した。これに限らず、成形体１９を成形する際にダイシングライン２３の位置に溝を形成し、その溝の部分で折り曲げて互いに切り離すことによって、成形体１９を個片のレンズ部材２５に分離してもよい。
【００３１】
また、本発明に係る透光性部材として、レンズ部材２５を例にとって説明した。これに限らず、鏡筒と一体化されたレンズ部材（図５（３）における、基板１の上側の保護用部材６とレンズ部材９とからなる部分）を、本発明に係る透光性部材としてもよい。
【実施例２】
【００３２】
本発明の実施例２について、図１と図２とを参照して説明する。図２（１）−（４）は本実施例に係る光デバイスの組立方法を工程順に示す部分断面図であり、図２（５）は光デバイスのレンズ付半製品を示す平面図である。本実施例は、成形体を切断する際にステージに対して成形体を仮固定することと、成形体が切断されることによって個片化されたレンズ部材をレンズ付半製品に接着することとを、１枚の両面接着シートによって行うことを特徴とする。本実施例によれば、まず、図２（１）に示すように、３層構造を有する両面接着シート２６を成形体１９の下面に貼付する。この両面接着シート２６は、基材２７と、基材２７の一方の面（図では下面）に形成され弱い接着力を有する仮固定用の仮接着層２８と、基材２７の他方の面（図では上面）に形成され強い接着力を有する本固定用の本接着層２９とによって構成されている。そして、両面接着シート２６の本接着層２９が、成形体１９の下面に貼付される。また、１個のレンズ部材２５に対応する本接着層２９は、フランジ部２４の下方に存在し透光部１０の下方には存在しないようにして枠状に設けられている。なお、本接着層２９として、例えば、アクリル系のような透光性材料を使用した場合には、レンズ部材２５の下面全体に本接着層２９を設けてもよい。
【００３３】
次に、図１（４）に示したダイシングシート２０に代えて両面接着シート２６を使用して、仮接着層２８によってステージ２１に成形体１９を仮固定する。そして、回転刃２２を使用して、ダイシングライン２３に沿って成形体１９を切断する。
【００３４】
次に、切断されることによって個片化されたレンズ部材２５を、ステージ２１上の仮接着層２８から引き剥がす。これにより、図２（２）に示すように、本接着層２９と基材２７とがこの順で下面に貼着しているレンズ部材２５が形成される。
【００３５】
次に、図２（３）に示すように、吸着保持具３０を使用してフランジ部２４を吸着することによって、レンズ部材２５を保持して搬送する。そして、図２（４）に示すように、レンズ部材２５を、半製品３１に対して位置合わせし、下降させて半製品３１の上面に接触させ、更に加圧する。これにより、半製品３１の上面にレンズ部材２５を接着する。その後にリードの曲げ加工を行って、本実施例に係る光デバイス（ＬＥＤパッケージ）を完成させる。
【００３６】
以上説明したように、本実施例によれば、成形体１９を切断し個片化する際に使用する仮固定手段と、個片化されたレンズ部材２５を半製品３１に接着する本固定手段として、１枚の両面接着シート２６を使用する。これにより、半製品３１に接着剤を塗布する工程を省略することができるので、光デバイスを生産する際の生産効率を向上させることができる。
【実施例３】
【００３７】
本発明の実施例３について、図３を参照して説明する。図３（１）−（４）は本実施例に係る光デバイスの組立方法を工程順に示す部分断面図であり、図３（５）は完成した光デバイスを示す断面図である。本実施例に係る光デバイスの組立方法によれば、まず、図３（１）に示すように、光デバイスに対応する領域３２が格子状に形成されたプリント基板等からなる全体基板３３を準備する。そして、矩形の平面形状を有する各領域３２にチップ３を装着し、ワイヤ４を使用してワイヤボンディングを行う。
【００３８】
次に、図３（２）に示すように、各領域３２においてチップ３をそれぞれ取り囲む保護用全体部材３４を、一括してトランスファ成形することによって形成する。また、この工程では、全体基板３３とは無関係に単独にかつ予め一体的に成形した保護用全体部材を、全体基板３３に対して位置合わせして接着してもよい。これらの方法によって、全体基板３３において保護用全体部材３４を一括して設けることができる。
【００３９】
次に、図３（３）に示すように、透光性樹脂を使用して一括して成形された成形体１９を準備する（図１（３）参照）。この成形体１９の下面には、予め接着シート３５を貼付しておくことが好ましい。この接着シート３５は、図２に示された本接着層２９と同様の機能を有する。そして、全体基板３３に対して成形体１９を位置合わせした後に、成形体１９を下降させて保護用全体部材３４の天面（図では上面）に押圧する。これによって、成形体１９と保護用全体部材３４とを一括して接着する。
【００４０】
次に、図３（４）に示すように、成形体１９と保護用全体部材３４とが接着して形成された中間体３６をステージ（図示なし）に仮固定する。そして、回転刃２２を使用して、中間体３６において仮想的に設けられたダイシングライン２３に沿って、Ｙ方向（図の手前−奥の方向）とＸ方向（図の左右方向）とに中間体３６を切断する。これにより、中間体３６を各領域３２単位に分離して個片化する。
【００４１】
ここまでの工程により、図３（５）に示されている本実施例に係る光デバイス３７（ＬＥＤパッケージ）が完成する。この光デバイス３７は、全体基板３３が個片化された基板３８と、基板３８の上面に装着されたチップ３と、チップ３を取り囲むようにして設けられた保護用部材３９と、保護用部材３９の上面に接着された透光性部材であるレンズ部材２５とを有する。また、光デバイス３７は、基板３８の下面に設けられた外部電極（図示なし）によって、他のプリント基板等（図示なし）に電気的に接続される。
【００４２】
以上説明したように、本実施例によれば、全体基板３３の各領域３２に装着されたチップ３を取り囲む保護用全体部材３４を一括して成形し、一括して成形され透光性を有する成形体１９を保護用全体部材３４の上に接着して中間体３６を形成し、その中間体３６を各領域３２単位に分離して光デバイス３７を完成させる。したがって、個々の半製品にレンズ部材をそれぞれ接着する組立方法（図５参照）に比較して、光デバイスの生産効率が大幅に向上する。また、光デバイス３７が有するレンズ部材２５については、中間体が切断されるまでは成形体１９として一体的にハンドリングされる。このことにより、成形体１９においてレンズ部材２５に相当しない部分（周辺の部分）を使用して、成形体１９を掴み、又は吸着することができる。したがって、成形体１９をハンドリングする際に、ミスの発生とレンズ部材２５に傷がつくことによる品質の低下とを防止することができる。また、光デバイス３７が矩形の平面形状を有するので、側面を挟むことによって光デバイス３７のハンドリングが容易になるとともに、レンズ部材２５の傷を防止できる。
【実施例４】
【００４３】
本発明の実施例４について、図４を参照して説明する。図４（１）−（４）は本実施例に係る光デバイスの組立方法を工程順に示す部分断面図であり、図４（５）は完成した光デバイスを示す断面図である。本実施例に係る光デバイスの組立方法によれば、まず、図３（１）に示す場合と同様に、全体基板３３の各領域３２にチップ３を装着し、ワイヤ４を使用してワイヤボンディングを行う。そして、相対向する下型４０と上型４１とを準備する。ここで、下型４０にはキャビティ４２が形成されており、そのキャビティ４２には各チップ３に対応する複数の凹部が格子状に形成されている。そして、図４（１）に示すように、吸着などの方法によって上型４１に全体基板３３を固定する。また、キャビティ４２には、図１（１）に示す場合と同様に、透光性を有する熱硬化性樹脂からなる所定量の粒状の樹脂材料４３を供給する。
【００４４】
次に、図４（２）に示すように、樹脂材料４３を加熱し溶融させてキャビティ１５において流動性樹脂４４を形成するとともに、下型４０と上型４１とを型締めする。ここで、樹脂材料４３を加熱するには、下型４０に設けられたヒータ（図示なし）を使用する。また、ヒータに代えて、又はヒータに加えて、下型４０と上型４１との間にそれぞれ挿入された接触式の加熱板や非接触式のハロゲンランプ等を使用してもよい。
【００４５】
次に、図４（３）に示すように、流動性樹脂４４を硬化させて硬化樹脂からなる成形体４５を形成するとともに全体基板３３と成形体４５とを有する中間体４６を形成し、その後に、上型４１を上昇させて下型（図示なし）と上型４１とを型開きする。この成形体４５は、全体基板３３において各チップ３を一括して封止する封止用全体部材として機能する。ここまでの工程により、圧縮成形を使用して、中間体４６を一括して成形したことになる。なお、圧縮成形に代えてトランスファ成形を使用して、硬化樹脂を形成するとともに中間体４６を一括して成形することもできる。
【００４６】
次に、図４（４）に示すように、中間体４６をステージ（図示なし）に仮固定する。そして、回転刃２２を使用して、中間体４６において仮想的に設けられたダイシングライン２３に沿って、Ｙ方向（図の手前−奥の方向）とＸ方向（図の左右方向）とに中間体４６を切断する。これにより、中間体４６を各領域３２単位に分離して個片化する。
【００４７】
ここまでの工程により、図４（５）に示されている本実施例に係る光デバイス４７（ＬＥＤパッケージ）が完成する。この光デバイス４７は、全体基板３３が個片化された基板３８と、基板３８の上面に装着されたチップ（図示なし）と、凸レンズ状の透光部４８及び平板状のフランジ部４９を有するとともにチップを封止する透光性部材、すなわちレンズ部材５０とを備えている。
【００４８】
以上説明したように、本実施例によれば、全体基板３３の各領域３２に装着されたチップ３を一括して封止して中間体４６を成形し、その中間体４６を各領域３２単位に分離して光デバイス４７を完成させる。これにより、個々の半製品にレンズ部材を接着する組立方法（図５参照）に比較して、光デバイスの生産効率がいっそう大幅に向上する。また、保護用部材を形成する組立方法（図３参照）に比較して、生産効率が向上する。加えて、中間体４６においてレンズ部材５０に相当しない部分（成形体４５における周辺の部分）を使用して、中間体４６を掴み、又は吸着することができる。したがって、中間体４６をハンドリングする際に、ミスの発生とレンズ部材５０に傷がつくことによる品質の低下とを防止することができる。また、光デバイス４７が矩形の平面形状を有するので、側面を挟むことによって光デバイス４７のハンドリングが容易になるとともに、レンズ部材５０の傷を防止できる。
【００４９】
なお、本実施例においては、全体基板３３と硬化樹脂からなる成形体４５とを有する中間体４６を一括して成形した。これに代えて、透光性樹脂を使用して、硬化樹脂からなる部分に代わる部材を予め一体的に成形しておき、成形されたその部材を封止用全体部材として使用してもよい。この場合には、まず、封止用全体部材を、全体基板３３とは無関係に単独にかつ予め一体的に成形する。具体的には、成形体４５のうちＬＥＤチップ３及びワイヤ４の周囲における所定の空間を除いた部分、言い換えれば、図３（４）に示された成形体１９と保護用全体部材３４とに相当する部分を、封止用全体部材として一括して成形する。次に、全体基板３３に対してその封止用全体部材を位置合わせして接着する。これにより、保護用部材とレンズ部材として機能する封止用全体部材を全体基板３３の上に一括して設けて、中間体を形成することができる。次に、その中間体を各領域３２単位に分離して個片化する。こうして得られた光デバイスは、図３（５）に示されたレンズ部材２５と保護用部材３９とが一体化しているとともに透光性樹脂からなる構成を有する。
【００５０】
なお、実施例１−４の各実施例においては、レンズ部材２５，５０が凸レンズ状の透光部１０，４８と平板状のフランジ部２４，４９とを有することとした。これに限らず、レンズ部材２５，５０の全体が凸レンズ状の透光部になるようにして形成してもよい。この場合には、切断後にダイシングシート（図１（４）のダイシングシート２０を参照）をエキスパンドした状態で、レンズ部材２５，５０の側面又は光デバイス３７，４７の側面、すなわち凸レンズ状の透光部以外の部分を掴むことができる。これにより、レンズ部材２５，５０と光デバイス３７，４７とをそれぞれハンドリングする際に、ミスの発生と品質の低下とを防止することができる。
【００５１】
また、チップと基板とが有する電極同士の電気的接続に、ワイヤボンディングを使用した。これに代えて、他の接続方法を使用してもよい。例えば、基板に設けられた開口を通して発光又は受光するようにして、チップをフリップチップボンディングしてもよい。
【００５２】
また、回転刃２２を使用して、成形体１９、中間体３６，４６をそれぞれ切断した。これに限らず、レーザによる切断（溶断）、ワイヤソー等による切断を使用してもよい。
【００５３】
また、レンズ部材２５については、光デバイスの外側に凸になるようにして配置した。これに限らず、光デバイスの内側に凸になるようにレンズ部材２５を配置してもよい。また、レンズ部材２５の形状としては、両面に凸になるような形状にしてもよく、凸レンズ状の透光部とその周囲に設けられた光反射壁とを有する形状にしてもよい。これらの点については、実施例３の成形体１９と実施例４のなお書きにおける封止用全体部材とにおいても同様である。
【００５４】
また、例えば、ある種の受光素子等のようにレンズ部材を必要としない場合には、透光性部材として平板状の部材を使用してもよい。また、平板状の成形体を一括して成形し、これを保護用全体部材に接着して中間体を形成した後に、中間体を分離して個片の光デバイスを完成させてもよい（図３（３），（４）参照）。更に、図４に示されたレンズ部材５０に代えて、平板状の部材を有することとしてもよい。これらの場合には、その平板状の部材が、本発明に係る透光性部材に相当する。
【００５５】
また、光デバイスが受光素子を有する場合、又は、光デバイスが発光素子と受光素子との双方を有する場合においても、本発明を適用することができる。
【００５６】
また、本発明は、上述の各実施例に限定されるものではなく、本発明の趣旨を逸脱しない範囲内で、必要に応じて、任意にかつ適宜に組み合わせ、変更し、又は選択して採用できるものである。
【図面の簡単な説明】
【００５７】
【図１】図１（１）−（４）は実施例１に係る光デバイスの組立方法を工程順に示す部分断面図であり、図１（５）は完成したレンズ部材を示す斜視図である。
【図２】図２（１）−（４）は実施例２に係る光デバイスの組立方法を工程順に示す部分断面図であり、図２（５）は光デバイスのレンズ付半製品を示す平面図である。
【図３】図３（１）−（４）は実施例３に係る光デバイスの組立方法を工程順に示す部分断面図であり、図３（５）は完成した光デバイスを示す断面図である。
【図４】図４（１）−（４）は実施例４に係る光デバイスの組立方法を工程順に示す部分断面図であり、図４（５）は完成した光デバイスを示す断面図である。
【図５】図５（１）−（４）は従来の光デバイスの組立方法を示す断面図であり、図５（５）は光デバイスのレンズ付半製品を示す平面図である。
【符号の説明】
【００５８】
１    リードフレーム（基板）
２    上面
３    ＬＥＤチップ（チップ）
４    ワイヤ
５    下面
６，３９    保護用部材
７    凹部
８，３１    半製品
９    レンズ部材
１０    透光部
１１，２４，４９    フランジ部
１２    レンズ付半製品
１３，４０    下型
１４，４１    上型
１５，４２    キャビティ
１６，４３    樹脂材料
１７，４４    流動性樹脂
１８    硬化樹脂
１９    成形体
２０    ダイシングシート
２１    ステージ
２２    回転刃
２３    ダイシングライン
２５，５０    レンズ部材（透光性部材、封止用部材）
２６    両面接着シート
２７    基材
２８    仮接着層
２９    本接着層
３０    吸着保持具
３２    領域
３３    全体基板
３４    保護用全体部材
３５    接着シート
３６，４６    中間体
３７，４７    光デバイス
３８    基板
４５    成形体（封止用全体部材）
４８    透光部
【図１】
2006106479.tif 000003
【図２】
2006106479.tif 000004
【図３】
2006106479.tif 000005
【図４】
2006106479.tif 000006
【図５】
2006106479.tif 000007